(57)【特許請求の範囲】
【請求項１】
光源として直管型ＬＥＤランプを用いる照明器具であって、
天井に取り付けられる器具本体と、
前記器具本体の長手方向の両端部に設けられ、前記直管型ＬＥＤランプに電気的に接続される給電側ソケットおよび接地側ソケットと、
前記直管型ＬＥＤランプへの給電に用いられる給電部品と、
前記器具本体に取り付けられ、断面が四角形であると共に中空であり、前記器具本体の長手方向に延在し、かつ、前記給電部品を取り付けるための第１の取付部と、前記接地側ソケットを接地する接地線用の接地座金を取り付けるための第２の取付部と、を備えるサブシャーシと、
を有し、
前記器具本体には、電源線が挿通される第１の電源線孔が形成され、
前記サブシャーシは、
前記四角形の上辺に相当し、前記器具本体に取り付けられ、前記第１の電源線孔に連通し、前記電源線が挿通される第２の電源線孔が形成されている天板と、
前記四角形の左右の辺に相当し、前記天板の、前記器具本体の長手方向に直交する方向である短手方向の両端部に連接する一対の側板と、
前記四角形の下辺に相当し、前記一対の側板の各々の下端部に連接し、前記天板の下側において前記天板に対向して設けられると共に、下面に、前記第１の取付部および前記第２の取付部が設けられ、かつ、前記電源線が挿通される電源線挿通孔が形成されている底板と、
を備え、
前記第１、第２の電源線孔を介して、前記器具本体側から前記サブシャーシの内部空間に引き込まれた前記電源線は、前記電源線挿通孔を介して前記サブシャーシの下方に引き出される照明器具。
【請求項２】
請求項１に記載の照明器具において、
前記サブシャーシは、前記器具本体への取付部分に長孔を有する照明器具。
【請求項３】
請求項１または請求項２に記載の照明器具において、
前記サブシャーシは、前記器具本体への取付部分に複数の孔を有する照明器具。
【請求項４】
請求項１ないし請求項３のうちのいずれか１項に記載の照明器具において、
前記給電部品は、電源端子台、または電源端子台と安定器である照明器具。
【発明の詳細な説明】
【技術分野】
【０００１】
本発明は、例えばＬＥＤユニットを有する直管型ＬＥＤランプを光源として天井面に設置される照明器具に関する。
【背景技術】
【０００２】
従来より、器具本体の下面に、電源端子台と、安定器とが取付けられた照明器具が知られている（例えば、特許文献１参照）。
特許文献１に記載の照明器具は、電源端子台に、天井面から引き込まれた電源線が電気的に接続される。
【先行技術文献】
【特許文献】
【０００３】
【特許文献１】特開２００８−２６９９９６号公報（図１、段落００４５）
【発明の概要】
【発明が解決しようとする課題】
【０００４】
特許文献１に記載の照明器具は、予め想定した経年通電時間に達したことを所定の時期に確実に告知する告知装置を備えており、この告知装置の取付けや配線処理の手間を省ける。
通常、照明器具は、電源端子台や安定器等の給電部品よりも器具本体の方が長寿命である。そのため、給電部品のみを交換する場合がある。
しかし、特許文献１に記載の照明器具は、給電部品が器具本体の天井面側からねじがねじ込まれることにより器具本体に取り付けられている。
従って、特許文献１に記載の照明器具は、給電部品を交換する際に、器具本体を天井面から取り外さなくてはならず、作業性が著しく悪い。
加えて、特許文献１に記載の照明器具は、比較的大型の器具本体に、比較的小型の給電部品を取り付けるために、組立工程において、器具本体を上下逆さまにして保持する等、組立時の作業性が悪い。
さらに、特許文献１に記載の照明器具は、蛍光ランプをＬＥＤランプに交換する場合に、接地線を確実に確保する必要があるにも拘わらず、接地線の作業性が悪い。
【０００５】
本発明は、前述した課題を解決するためになされたものであり、その目的は、作業性を飛躍的に向上できる照明器具を提供することにある。
【課題を解決するための手段】
【０００６】
本発明に係る照明器具は、光源として直管型ＬＥＤランプを用いる照明器具であって、天井に取り付けられる器具本体と、前記器具本体の長手方向の両端部に設けられ、前記直管型ＬＥＤランプに電気的に接続される給電側ソケットおよび接地側ソケットと、前記直管型ＬＥＤランプへの給電に用いられる給電部品と、前記器具本体に取り付けられ、断面が四角形であると共に中空であり、前記器具本体の長手方向に延在し、かつ、前記給電部品を取り付けるための第１の取付部と、前記接地側ソケットを接地する接地線用の接地座金を取り付けるための第２の取付部と、を備えるサブシャーシと、を有し、前記器具本体には、電源線が挿通される第１の電源線孔が形成され、前記サブシャーシは、前記四角形の上辺に相当し、前記器具本体に取り付けられ、前記第１の電源線孔に連通し、前記電源線が挿通される第２の電源線孔が形成されている天板と、前記四角形の左右の辺に相当し、前記天板の、前記器具本体の長手方向に直交する方向である短手方向の両端部に連接する一対の側板と、前記四角形の下辺に相当し、前記一対の側板の各々の下端部に連接し、前記天板の下側において前記天板に対向して設けられると共に、下面に、前記第１の取付部および前記第２の取付部が設けられ、かつ、前記電源線が挿通される電源線挿通孔が形成されている底板と、を備え、前記第１、第２の電源線孔を介して、前記器具本体側から前記サブシャーシの内部空間に引き込まれた前記電源線は、前記電源線挿通孔を介して前記サブシャーシの下方に引き出される。
【０００８】
本発明に係る照明器具は、前記サブシャーシは、前記器具本体への取付部分に長孔を有する。
【０００９】
本発明に係る照明器具は、前記サブシャーシは、前記器具本体への取付部分に複数の孔を有する。
【００１０】
本発明に係る照明器具は、前記給電部品は、電源端子台、または電源端子台と安定器である。
【発明の効果】
【００１１】
本発明に係る照明器具によれば、作業性を飛躍的に向上できるという効果を奏する。
【図面の簡単な説明】
【００１２】
【図１】本発明に係る第１実施形態の照明器具の斜め下方から視た分解斜視図
【図２】本発明に係る第１実施形態の照明器具のサブシャーシの底面図
【図３】本発明に係る第１実施形態の照明器具の垂直断面図
【図４】本発明に係る第１実施形態の照明器具の変形例のサブシャーシの底面図
【図５】本発明に係る第２実施形態の照明器具の斜め下方から視た分解斜視図
【図６】本発明に係る第２実施形態の照明器具における電源端子台周りの底面図
【図７】本発明に係る第２実施形態の照明器具における電源端子台周りの側面図
【発明を実施するための形態】
【００１３】
以下、本発明に係る複数の実施形態の照明器具について図面を参照して説明する。
（第１実施形態）
図１に示すように、本発明に係る第１実施形態の照明器具１０は、第１反射板兼用の器具本体１１と、この器具本体１１に取り付けられるサブシャーシ１２と、サブシャーシ１２に取り付けられた電源端子台１３および安定器１４とを備える。
また、照明器具１０は、器具本体１１に取り付けられる第２反射板１５と、器具本体１１の下面に保持される一対の直管型ＬＥＤランプ１６とを備える。
照明器具１０は、不図示の天井面に設置されるベースライトに適用される。
【００１４】
器具本体１１は、厚みの薄い導通性を有する金属製板部材により成形されており、天板１７の下面および周板１８の内面に反射面１９を有する。
器具本体１１は、天板１７の一端部の下面に給電側ソケット台２０を介して一対の給電側ソケット２１が取り付けられている。
器具本体１１は、天板１７の他端部の下面に接地側ソケット台２２を介して一対の接地側ソケット２３が取り付けられている。
器具本体１１は、給電側ソケット２１と、接地側ソケット２３とに、直管型ＬＥＤランプ１６が電気的に接続されて機械的に取り付けられる。
【００１５】
サブシャーシ１２は、器具本体１１と同様に厚みの薄い導通性を有する金属製板部材により成形されており、天板２４と、底板２５と、一対の側板２６とから、器具本体１１の長手方向に長さを有する略ロ字形状に形成されている。
サブシャーシ１２は、天板２４の両端部寄りに器具本体１１の天板１７に有するねじ孔２７にねじ２８をねじ込むことにより器具本体１１に取り付けられる長孔２９を器具本体１１の長手方向に有する。
従って、長孔２９を介してサブシャーシ１２の取付位置を器具本体１１の長手方向に変更できるために、器具本体１１への取付ピッチを増加できる。
サブシャーシ１２は、器具本体１１に取り付ける以前において、底板２５の上方からねじ３０をねじ込ませることにより電源端子台１３が底板２５の下面に取り付けられる。安定器１４も電源端子台１３と同様にして底板２５の下面に取り付けられる。
【００１６】
第２反射板１５は、垂直断面視がＶ字形状に形成されており、器具本体１１の長手方向に長さを有する。
第２反射板１５は、Ｖ字形状の反射面３１を有し、器具本体１１側の間隔を小さくするように変形されてから器具本体１１に取り付けられることにより、サブシャーシ１２と電源端子台１３と安定器１４とを覆って下面から直視されないように隠す。
【００１７】
直管型ＬＥＤランプ１６は、断面がほぼ円形のガラス管３２の一端部の口金３３に、給電側ソケット２１内に収容されている不図示の一対の給電側端子受に電気的に接続される一対の給電側口金ピン３４をそれぞれ有する。
直管型ＬＥＤランプ１６は、ガラス管３２の他端部の口金３５に、接地側ソケット２３に収容されている不図示の接地側端子受に電気的に接続される単一の接地側口金ピン３６を有する。
【００１８】
直管型ＬＥＤランプ１６は、ガラス管３２内に、複数のＬＥＤ３７を器具本体１１の長手方向に実装させたＬＥＤ基板３８を有するＬＥＤユニット３９を内蔵している。
直管型ＬＥＤランプ１６は、給電側ソケット２１から給電された直流電流が給電側口金ピン３４から接地側口金ピン３６を通じて接地側ソケット２３に流れる。
そして、直管型ＬＥＤランプ１６は、ＬＥＤ基板３８が有する不図示のプリント回路に直流電流が供給されてＬＥＤユニット３９が発光する。
直管型ＬＥＤランプ１６は、被照射対象に向けた照射範囲が全周に対して１／２ないし２／３である。
なお、直管型ＬＥＤランプ１６は、一端部の口金３３に一対の給電側口金ピン３４を有し、他端部の口金３５に単一の接地側口金ピン３６を有するものに限ることはない。
例えば、一端部の口金３３に３本の給電側口金ピン３４を有し、他端部の口金３５に２本の接地側口金ピン３６を有するものや、一端部の口金３３に２本の給電側口金ピン３４を有し、他端部の口金３５に２本の接地側口金ピン３６を有するものであってもよい。
【００１９】
図２に示すように、サブシャーシ１２は、接地線４０の取付部分に緩止部４１を有する。接地線４０は、接地側ソケット２３に電気的に接続されており、接地側ソケット２３を通じて外部に接地される。
緩止部４１は、サブシャーシ１２の底板２５における接地側ソケット２３の近傍において、接地線４０に電気的に接続されている接地線座金４２がねじ４３により底板２５にねじ込まれる位置において、一部を下方に向けて切り起こすことにより形成されている。
従って、器具本体１１の下面において、ねじ４３を底板２５にねじ込むことによりサブシャーシ１２を通じて直管型ＬＥＤランプ１６のアース導通を簡単に確保でき、接地線座金４２を介して底板２５にねじ込まれるねじ４３の緩みを防止できる。
【００２０】
図３に示すように、サブシャーシ１２は、天板２４において電源端子台１３に対応する位置に、治具孔４４を有する。
治具孔４４は、サブシャーシ１２の組立工程において、サブシャーシ１２の底板２５にねじ３０により電源端子台１３をあらかじめ取り付けておく際に、不図示の治具が挿入される。
サブシャーシ１２は、底板２５の所定位置に電源線挿通孔４５を有する。そのため、電源線４６が、器具本体１１に有する電源線孔４７とサブシャーシ１２の天板２４に有する電源線孔４８と電源線挿通孔４５とを通じて引き込まれる。
そして、電源線挿通孔４５から引き込まれた電源線４６が電源端子台１３に電気的に接続される。
このように、サブシャーシ１２は、略ロ字形状を有するために、内部の空間にねじ３０や電源線４６を収容できる。
【００２１】
このような照明器具１０は、組立工程において、サブシャーシ１２の天板２４の治具孔４４を通じて、底板２５の上方からねじ３０をねじ込ませることにより電源端子台１３が底板２５の下面にあらかじめ取り付けられる。
次に、電源端子台１３および安定器１４が下面に取り付けられているサブシャーシ１２の長孔２９を通じて器具本体１１のねじ孔２７にねじ２８がねじ込まれることにより、サブシャーシ１２が器具本体１１に取り付けられる。
従って、電源端子台１３および安定器１４を交換する際に、従来のもののように、器具本体を天井面から取り外す必要がなく、サブシャーシ１２のみを取り外せばよいので、作業性を飛躍的に向上できる。
【００２２】
以上、説明したように第１実施形態の照明器具１０によれば、電源端子台１３および安定器１４を交換する際に、従来のもののように、器具本体を天井面から取り外す必要がなく、サブシャーシ１２のみを取り外せばよいので、作業性を飛躍的に向上できる。
【００２３】
また、第１実施形態の照明器具１０によれば、サブシャーシ１２が、接地線４０の取付部分に緩止部４１を有するために、接地線座金４２を介して底板２５にねじ込まれるねじ４３の緩みを防止できる。
また、第１実施形態の照明器具１０によれば、ねじ４３を底板２５にねじ込むことによりサブシャーシ１２を通じて直管型ＬＥＤランプ１６のアース導通を簡単に確保できる。
【００２４】
また、第１実施形態の照明器具１０によれば、サブシャーシ１２が、器具本体１１への取付部分に長孔２９を有するために、サブシャーシ１２の取付位置を器具本体１１の長手方向に変更でき、器具本体１１への取付ピッチを増加できる。
【００２５】
図４に示すように、照明器具１０の変形例は、サブシャーシ１２の天板２４の両端部寄りに、器具本体１１の天板１７に有するねじ孔２７にねじ２８をねじ込むための複数のねじ孔４８を並列に有する。
従って、複数のねじ孔４８のうちの選択された一対のねじ孔４８を介してサブシャーシ１２の取付位置を器具本体１１の長手方向および短手方向に変更できるために、器具本体１１への取付ピッチを増加できる。
このとき、複数のねじ孔４８のうちの、対角位置にあるねじ孔４８を用いることもできる。そうすれば、取付ピッチを、さらに増加できる。
【００２６】
本変形例の照明器具１０によれば、サブシャーシ１２の複数のねじ孔４８のうちの選択された一対のねじ孔４８を介してサブシャーシ１２の取付位置を器具本体１１の長手方向および短手方向に変更できるために、器具本体１１への取付ピッチを増加できる。
【００２７】
（第２実施形態）
次に、本発明に係る第２実施形態の照明器具について説明する。
なお、以下の第２実施形態において、前述した第１実施形態と重複する構成要素や機能的に同様な構成要素については、図中に同一符号あるいは相当符号を付することによって説明を簡略化あるいは省略する。
【００２８】
図５に示すように、本発明に係る第２実施形態の照明器具５０は、電源端子台１３にのみ取り付けられるサブシャーシ５１を備える。
サブシャーシ５１には、底板５２の上面からねじ３０をねじ込ませることにより電源端子台１３が底板５２の下面に取り付けられる。
図６および図７に示すように、サブシャーシ５１は、底板５２の上方に段部を介して一対の鍔板５３を有し、鍔板５３に器具本体１１の長手方向に長孔５４をそれぞれ有する。
サブシャーシ５１は、組立工程において、底板５２の下面に電源端子台１３があらかじめ取り付けられた後に、長孔５４を通じて器具本体１１のねじ孔２７にねじ２８がねじ込まれて器具本体１１に取り付けられる。
従って、サブシャーシ５１を小型化できるために、汎用性を高くできる。
【００２９】
第２実施形態の照明器具５０によれば、サブシャーシ５１が電源端子台１３にのみ取り付けられるために、サブシャーシ５１を小型化でき、汎用性を高くできる。
【００３０】
なお、本発明の照明器具において器具本体，直管型ＬＥＤランプ，第２反射板，電源端子台，安定器等は、前述した各実施形態に限定されるものでなく、適宜な変形や改良等が可能である。
【符号の説明】
【００３１】
１０，５０  照明器具
１１  器具本体
１２，５１  サブシャーシ
１３  電源端子台
１４  安定器
２９，５４  長孔
４０  接地線
４１  緩止部
４８  ねじ孔（孔）
【図１】
0005884091.tif 000002
【図２】
0005884091.tif 000003
【図３】
0005884091.tif 000004
【図４】
0005884091.tif 000005
【図５】
0005884091.tif 000006
【図６】
0005884091.tif 000007
【図７】
0005884091.tif 000008